(57)【要約】  注ぐことが可能な食品のための包装容器が、材料積層構造と、第1および第2の横断封止と、第1の横断封止から第2の横断封止へと延びる縦封止とを有する前側を備える。包装の前側における開放デバイスは、包装容器の材料を裂いて開放を作り出すために、材料積層構造を貫通する橋梁部を介して開放帯片部分に連結されているタブ部分を外面に備える。開放帯片部分が内面に付着され、第1の側の横断寸法の相当な部分に沿って延びる。
2017507852.tif 000002
【特許請求の範囲】
【請求項１】
注ぐことが可能な食品のための、高さと幅とを有する包装容器であって、
外面、および、前記注ぐことが可能な食品に面するように適合される内面を備えた材料積層構造を有する第1の側(18、20、30、40、50)と、
前記包装の上部分における第1の横断封止(11、24、34、44)と、
前記包装の下部分における第2の横断封止(10)と、
前記第1の横断封止から前記第2の横断封止へと延びる縦封止(22a、32a、42a)と、
前記包装容器の前記第1の側に、または、前記第1の側に実質的に垂直な第2の側における開放デバイスであって、
前記包装容器の材料を裂いて開放を作り出すために、前記材料積層構造を貫通する橋梁部を介して開放帯片部分(18、202、306)に結合される、前記外面におけるタブ部分(14、201、301)であって、前記開放帯片部分(18、202、306)が、前記内面に付着され、前記第1の側の幅の相当な部分に沿って延びる、タブ部分(14、201、301)
を有する開放デバイスと
を備える包装容器。
【請求項２】
前記開放帯片部分が、前記第1の側の幅の40%超に沿って、特に、80%超に沿って延びる、請求項1に記載の包装容器。
【請求項３】
前記開放帯片部分が、前記第1の横断封止(11、24、34、44)と実質的に平行に、前記第1の側の横断縁(38、48)から延びる、請求項1または2に記載の包装容器。
【請求項４】
前記開放デバイスが、前記第1の側を主側部分(20、30)と上部側部分(23、33)とに分離する前記包装の横断縁の近くに、または、前記横断縁に配置される、請求項1から3のいずれか一項に記載の包装容器。
【請求項５】
前記開放デバイスの前記タブ部分が前記上部側部分に配置される、請求項4に記載の包装容器。
【請求項６】
前記材料積層構造が複数の層と弱体化領域とを備え、前記弱体化領域では、前記橋梁部が前記材料積層構造を貫通する、請求項1から5のいずれか一項に記載の包装容器。
【請求項７】
前記弱体化領域が、前記複数の層のうちの少なくとも1つの層を欠いている、請求項6に記載の包装容器。
【請求項８】
前記開放帯片部分が、前記容器へと充填される注ぐことが可能な食品の高さを超える前記上部分において、前記第1の横断封止の近くに配置される、請求項1から7のいずれか一項に記載の包装容器。
【請求項９】
前記第1の横断封止(34)が、前記縦封止から離して折り曲げられる、請求項1から8のいずれか一項に記載の包装容器。
【請求項１０】
前記開放デバイスが、前記開放帯片部分に沿って前記包装を開放することを容易にするために支援部分(13、203、304)を備え、前記支援部分が、前記開放帯片部分の反対において前記外面における領域に隣接する前記外面に配置される、請求項1から9のいずれか一項に記載の包装容器。
【請求項１１】
前記支援部分(13、203、304)が、前記開放帯片部分(18、202)より前記第2の封止の近くに配置される、請求項10に記載の包装容器。
【請求項１２】
前記支援部分が、横断方向に延び、前記開放帯片部分と実質的に平行に延び、前記開放帯片部分の長さと少なくとも等しい長さを有する、請求項10または11に記載の包装容器。
【請求項１３】
前記支援部分が第1の帯片と第2の帯片とを備え、前記帯片の両方が、前記2つの帯片の間の距離が前記開放帯片部分の縦寸法以上であるように、前記開放帯片部分と平行に配置される、請求項10から12のいずれか一項に記載の包装容器。
【請求項１４】
前記開放帯片部分と前記支援部分との間での縦方向における距離が、材料積層構造の厚さの0.1倍から2倍までの範囲にある、請求項10から13のいずれか一項に記載の包装容器。
【請求項１５】
前記第1の側が、前記横断方向と平行な成分を持つ圧力を前記容器に与えるときに前記第1の側の開放を形成するように、前記開放帯片部分から延びる1つまたは複数の圧縮線をさらに備える、請求項1から14のいずれか一項に記載の包装容器。
【請求項１６】
前記第1の側が、前記開放帯片のそれぞれの縁の近くから、または、前記開放帯片のそれぞれの縁から、前記第1の側における共通の交差へと、または、前記第1の側の下縁へと延びる2つの圧縮線を備える、請求項1から15のいずれか一項に記載の包装容器。
【請求項１７】
前記第1の側が、縦方向に沿って前記第2の封止に向かう前記開放帯片の実質的に中心から、または、前記中心の近くから延びる第3の圧縮線をさらに備える、請求項15または16に記載の包装容器。
【請求項１８】
前記第1の側が、前記開放帯片の実質的に中心から、または、前記中心の近くから、前記第1の側の下縁に向かって、または、前記第1の側の側縁に向かって延びる少なくとも2つの圧縮線を備える、請求項1から15のいずれか一項に記載の包装容器。
【請求項１９】
包装材料のブランクまたはウェブから包装容器を製作する方法であって、
包装材料のブランクまたはウェブを提供するステップであって、前記ブランクまたはウェブが、前記包装容器を形成するために、複数の折り目線に沿って前記ブランクまたはウェブを折り曲げるための前記複数の折り目線を有する、ステップと、
前記包装材料のブランクまたはウェブに開放デバイスを設けるステップであって、前記開放デバイスが、タブ部分と、細長くされた開放帯片部分と、前記包装材料のブランクまたはウェブを貫通し、前記タブ部分を前記開放帯片部分へと連結する橋梁部とを備え、前記細長くされた開放帯片部分が、前記包装材料のブランクの上部閉止パネルから主パネルを分離する折り目線に沿って実質的に平行に延びる、ステップと、
容器の下部を形成するために、前記包装材料のブランクを折り曲げ、前記容器を液体で充填するステップ、または、
前記包装材料のウェブを管へと折り曲げ、前記管を縦方向で封止し、前記管の下部側を封止し、液体を前記管へと充填するステップと、
前記包装材料のブランクまたは包装材料のウェブの前記管の上部を封止するステップと
を含む方法。
【発明の詳細な説明】
【技術分野】
【０００１】
本発明は、開放デバイスを備えた包装容器に関する。
【背景技術】
【０００２】
消費可能液体または低温殺菌された食品が、殺菌された包装材料から作られた包装でしばしば販売されている。このような包装の典型的な例には、レンガ石の形のTetra Brik(登録商標)またはTetra Brik(登録商標) Aseptic、または、枕または小袋のようによりなっているTetra Fino(登録商標)包装がある。
【０００３】
これらの包装のために使用される包装する材料は、複層構造を備えている。プラスチックおよびアルミ箔の1つまたは複数の層(包装の種類に依存する)が板紙層のボール紙の両側に積層され、板紙層は、包装の種類に依存して、異なる剛性、強度、および厚さを有する。
【０００４】
この種の包装は、通常、完全に自動的な包装機械で製作され、連続する管が、ウェブから供給される包装材料から形成され、包装材料は、例えば、低電圧電子ビームを用いてウェブを照射することで、または、化学的殺菌剤によって、包装機械の内部で殺菌される。次に、材料は無菌環境で折り曲げられ、鉛直管を形成するために長手方向で封止される。
【０００５】
管は、殺菌または無菌処理された食品で充填され、横断して封止され、ピローパックを形成するために、等しく離間された断面に沿って後で切断され、ときには、前述した包装のような実質的に平行六面体の形の包装へとさらに加工される。
【０００６】
前述した包装を開放するために、様々な解決策が提案されている。本出願者による特許出願国際公開2009/000927号では、代替の開放デバイスが提示されている。この出願では、注ぎ口と、対応する膜とが、同じ成形ステップにおいて、包装材料のシート上に直接的に射出成形されている。Tetra Fino(登録商標) Aseptic包装などの枕状の包装は、ストロー穴、または、単なる切り込みの指示を含んでもよく、これは、いくらか薄いことで容易に行われ、したがって、引き裂くことができる包装材料が使用されている。
【先行技術文献】
【特許文献】
【０００７】
【特許文献１】国際公開2009/000927号
【発明の概要】
【発明が解決しようとする課題】
【０００８】
異なる包装のための開放の相違にもかかわらず、さらなる相違に対する要求、具体的には、材料の消費および生産時間が削減されながらも、注ぎ速度が向上することへの要求が、依然として存在する。
【課題を解決するための手段】
【０００９】
本発明の目的に関して、容器、包装、および包装容器といった用語は、同じ構造に言及している。また、材料、材料積層構造、または包装材料といった用語は、包装容器で用いられる包装材料積層構造に言及している。
【００１０】
本発明は、幅、高さ、および奥行を有する注ぐことが可能な食品のための包装容器を提案する。包装容器は、包装容器の上部分において第1の横断封止によって閉じられ、包装の下部分において第2の横断封止によって閉じられ、縦封止によっても閉じられる。この点において横断封止という用語は、縦封止に実質的に垂直な封止のことを言っている。縦封止は、通常、包装の長さまたは高さに実質的に交差して延びる。別の言い方をすれば、横断封止は、包装容器の幅または奥行に交差して拡がる。
【００１１】
包装容器の第1の側における開放デバイスは、少なくともタブ部分と開放帯片部分とを備える。タブ部分は、第1の側の外面に配置され、包装容器の開放の間に開放デバイスが材料を裂くように、第1の側の材料を貫通する材料橋梁部を介して開放帯片部分へと結合される。さらに、開放部分は、第1の側の材料の内面に付着され、第1の側の相当な部分に沿って、特に、第1の側の幅の相当な部分に沿って延びる。
【００１２】
本発明によれば、開放デバイスは包装に配置され、これは、包装をその実質的な全幅にわたって破って開放させることができる。したがって、比較的大きい開口が作り出され、食品を素早く効率的に注ぐことができる。開放帯片部分は所定の裂け目線を提供し、その裂け目線において、包装容器が破って開放され、それによって、成り行きの開放(このような所定の線のない包装でしばしば問題となる)が防止される。
【００１３】
本発明の実施形態では、開放帯片部分は、上部横断封止の近くに、特に、包装容器へと充填される注ぐことが可能な食品の高さの上方に、配置されてもよい。これは、素早い開放を可能にし、液体食品をこぼす危険性を小さくする。本発明の態様では、開放デバイスにより近い横断封止は、開放デバイスから離して折り曲げられてもよい。このような構成では、包装側が外向きに拡がり、開口を大きくすることが分かっている。
【００１４】
本発明の他の態様は、開放デバイスの幅または長さを取り扱っている。他の実施形態では、開放帯片部分の遠位端が、包装容器の縁に、つまり、縦縁に、実質的に配置されている。したがって、開放帯片部分は、封止と実質的に平行に、包装容器の別の封止に向かって延びてもよい。
【００１５】
代替および/または追加で、開放帯片部分の材料橋梁部および近位端が、つまりは包装容器の縦縁である縁の近くに、または、実質的にその縁に、配置されてもよい。
【００１６】
この点において、遠位端という用語は、タブ部分または材料橋梁部から最も離れているタブ部分の端のことを言っている。したがって、開放帯片部分の近位端は、材料橋梁部に最も近い端である。
【００１７】
実施形態では、開放帯片部分が包装の幅の40%超に沿って延び、特に、60%超、または、さらには80%超に沿って延びる。一部の実施形態では、開放帯片部分は、タブ部分の寸法だけ小さくされた包装容器の全体の幅に実質的に沿って延びてもよい。
【００１８】
本発明の別の態様は、包装容器における開放デバイスの配置に言及している。実施形態では、開放帯片部分が、第1の横断封止と実質的に平行な第1の側の横断縁の近くに配置される。「横断縁」は、包装の幅に沿う包装の縁である。このような場合にあるように、縁は、包装容器を上部側部分と主側部分とに分離し、開放デバイス、特に、開放デバイスの開放帯片部分は、上部側部分に配置されてもよい。代替で、開放帯片部分は、このような縁に直接的に配置されてもよい。
【００１９】
別の実施形態では、包装の材料は、複数の層と弱体化領域とを備える積層構造を備え、弱体化領域では、橋梁部が材料積層構造を貫通する。弱体化領域では、材料積層構造の厚さが小さくされる。例えば、材料積層構造のうちの1つまたは複数の層が、弱体化領域ではなくなっている。橋梁部および開放デバイスは、射出成形または同様の技術によって製造されてもよい。橋梁部の材料が材料へと射出され、弱体化領域を貫通する。材料構造積層自体が十分に薄い場合、材料橋梁部および開放デバイスは、特定の弱体化領域を有することなく、材料に直接的に配置され得る。
【００２０】
しばしば、材料層の一部である厚紙に基づく層の材料および厚さは、弱体化領域が必要とされるかどうかの決定にとって極めて重要である。
【００２１】
さらに別の態様は、所定の裂け目線に言及している。実施形態では、開放デバイスは、開放帯片部分によって設けられる所定の裂け目線に沿って包装を開放することを容易にするために、支援部分を備える。支援部分は、開放帯片部分の反対の領域に隣接する外面に配置されてもよい。実施形態では、支援部分は、包装容器の下部、または、第2の横断封止のより近くに配置されてもよく、開放帯片部分と同様であるが包装の外側に配置される帯片部を備えてもよい。別の実施形態では、支援部分は、外面における両側で、開放帯片部分を回避してもよい。支援部分のこのような構成は、さらに良好な開放と、所定の裂け目線とを提供する。開放する過程の間、材料を安定化させることで、液体を漏らす危険性を小さくしてもよい。
【００２２】
実施形態では、開放帯片部分と支援部分との間での距離(縦方向における)が、材料積層構造の厚さの0.1倍から2倍までの範囲にある。別の言い方をすれば、支援部分が開放帯片部分の非常に近くに配置される。すべての支援部分および開放帯片部分を含む開放デバイスは、プラスチック材料から作られてもよい。
【００２３】
別の態様は、作り出される開放の形成を容易にすることに関連している。本発明の実施形態では、包装容器であって、特に、開放が配置される側は、横断方向と平行な成分を持つ圧力を容器に与えるときに開放の形成を容易にするように、開放帯片部分から延びる1つまたは複数の圧縮または折り目線を備えてもよい。
【００２４】
このような折り目線の異なる形および構造が可能である。実施形態では、包装容器の側が、開放帯片のそれぞれの縁の近くから、または、開放帯片のそれぞれの縁から、その側における共通の交差へと、または、第1の側の下縁へと延びる2つの圧縮線を備えてもよい。一部の実施形態では、側は、縦方向に沿って第2の封止に向かう開放帯片の実質的に中心から、または、中心の近くから延びる第3の圧縮線をさらに備える。
【００２５】
代替の実施形態では、側は、開放帯片の実質的に中心から、または、その中心の近くから、前記側の下縁に向かって、または、前記側の側縁に向かって延びる少なくとも2つの圧縮線を備えてもよい。
【００２６】
別の態様は、包装容器を製造するための方法に関連している。方法は、容器が折り曲げられる折り目線と、弱くなっている領域とを有する包装材料のブランクまたはウェブを提供するステップを含む。開放デバイスが包装材料ブランクに取り付けられ、開放デバイスは、タブ部分と、上部閉止パネル側のための小パネル側を分離する折り目線に沿って実質的に平行に延びる開放帯片部分とを有する。タブ部分は、包装材料ブランクの材料積層構造を貫通して、橋梁部を介して開放帯片部分へと連結される。
【００２７】
実施形態では、包装材料ブランクは弱体化領域を備え、弱体化領域は、材料積層構造のうちの1つまたは複数の層を欠いている。タブ部分と開放帯片部分とを連結する橋梁部は、弱体化領域を貫通する。
【００２８】
開口タブを備えるブランクが、下部で折り曲げられ、充填され、最終的に封止される。代替で、ブランクはウェブの一部であり、このような場合、ウェブは管へと折り曲げられてから、液体が管へと充填される前に、縦方向で封止される。管は、下部および上部の封止について封止されてから、分離される。
【００２９】
ここで、本発明のいくつかの態様および実施形態を示している添付の図面を参照して、本発明をより詳細に説明する。
【図面の簡単な説明】
【００３０】
【図１】枕状の包装における、本発明による開放の実施形態を示す図である。
【図２】開放が消費者によって実施された後、図1の実施形態を示す図である。
【図３】ブロック状の包装を用いる、本発明の第2の実施形態の図である。
【図４】「開放状態」にある第2の実施形態を示す図である。
【図５】ブロック状の包装を用いる、本発明の第3の実施形態の図である。
【図５Ａ】図5の実施形態の軸X-Xに沿うそれぞれの断面図を示す図である。
【図６】本発明による別の実施形態を示す図である。
【図７】本発明による第5の実施形態を示す図である。
【発明を実施するための形態】
【００３１】
図面における同様の特徴は、同様の符号を伴っている。異なる実施形態における特徴が、本発明の概念から逸脱することなく、さらなる別の代替を形成するために、当業者によって当然ながら組み合わされ得ることは、留意されるべきである。
【００３２】
図1および図2は、子袋状の包装のための、本発明の第1の実施形態の図である。包装容器1は、横断方向Tに沿って延びる幅と、縦方向Lに沿って延びる長さとを有する。包装容器は、液体を注ぐことができる食品を含んでおり、複数の異なる層から作られる包装材料構造積層を備えている。これらの層は、安定性についての厚紙に基づく層と、外側における印刷を保護するための装飾層として、または、内側におけるガス障壁として作用する1つまたは複数のプラスチック材料層とを備えている。一部の場合では、例えばアルミニウムといった遮光層が、長期の保存可能期間を有する無菌充填の場合に含まれる。
【００３３】
子袋状の包装容器1が、横断封止11および10によって上部および下部においてそれぞれ封止され、前側18および後側19を形成するように折り曲げられる。後側には、縦封止(図示せず)が、上部横断封止11から下部封止10へと配置されている。
【００３４】
子袋状の包装容器は、容器の上部分12における開放デバイスをさらに備えている。前記開放デバイスは、前側18に、向上した把握と支援部分16および13とのためにいくらか波形とされた滴の形で、タブ部分14を備えている。支援部分16はタップ部分の周りの領域を包囲する一方、支援部分13は、包装の幅のほとんどすべてに沿って、横断方向Tに沿って延びる。支援部分13は、材料の小さく細長くされた領域17を包囲する。
【００３５】
タブ部分14は、開放帯片部分17aが前側18の内面に配置された状態で、材料積層の領域15において連結されている。図2で示された前記開放帯片部分17aは、支援部分13の遠位端までずっと、細長くされた帯片として延びている。前記開放帯片部分17aは、材料積層を貫通する材料橋梁部によってタブ部分に連結されており、裂け目線をあらかじめ決定する。
【００３６】
包装容器を開けるとき、図2に示したように、使用者は、タブ部分を支援部分の遠位端に向かって引っ張る。タブ部および橋梁部は、領域15における橋梁部から、材料積層を裂いて開く。支援部分13は、裂くのを容易にして支援する。開放することは、上部分12における上部封止11の近くに配置されており、そのため漏れることが減少される、または、防止さえされる。
【００３７】
この実施形態では、作り出された開放が、包装の幅の約60%に沿って延びる。包装容器1の縦縁において小さい圧力を与えることで、向上された注ぎに向けて円形または楕円の開放を形成するために、開放を再成形することができる。プラスチックから作られた支援部分13は、再成形のための安定性を高める。
【００３８】
図3および図4は、ブロック状の包装容器2を利用する本発明の第2の実施形態を示している。容器2は、前壁20と、2つの側壁21と、後壁29とを備えている。フラップ22は、包装容器の上部分23が横断して封止された後、折り曲げられることで側壁へと配置される。横断封止24は、前壁20に面するように折り曲げられる。同様に、フラップが包装の下部において配置されている(図示せず)。長手方向の封止22aが、包装容器の下部側に設けられている。
【００３９】
容器2は、前壁20を上部分23から分離する縁に配置された開放デバイス200をさらに備えている。開放デバイスは、包装容器の上方外側の角27から、横断方向Tにおける実質的な全幅に沿って、他方の上方外側の角および縁28の近くの弱体化領域209へと延びている。2つの支援帯片が包装の幅に沿って延びており、縁に隣接する右側で包装容器の上部分にある第1の支援帯片と、縁に隣接して前壁にある第2の支援帯片203とがある。それによって、2つの帯片は、前壁20を上部23から分離する包装容器の縁を取り囲んでいる。開放デバイスは、上部分23に平らに配置された、ジッパに似たようなプルタブの形でタブ201を備えている。タブ201は、材料橋梁部を介して、角27までの縁に沿って、包装の内部に配置された開放帯片部分(図示せず)へと連結されている。
【００４０】
包装容器は、上方の角27および27aから包装の下方の縁における共通の中心位置26まで延びている2つの折り目線25を、さらに備えている。中心折り目線29aが、上方の縁における中心位置210から、共通の中心位置26まで延びている。
【００４１】
包装の開放の形態が図4に示されている。壁20の内面に配置された開放帯片部分202が材料を裂き、小さな細長くされた開放を作り出している。側壁に圧力を与えることで、折り目線25および29aは、注ぐのを容易にするためのV字形の開放を提供するために折り曲がる。支援帯片203は、開放を安定化させ、より良好な屈曲または折り曲げのために、領域210に小さい弱体部を備えている。この実施形態における上部は平らなままであるが、横断封止24の折り曲げに依存して、上向きまたは下向きに屈曲できる。
【００４２】
図5は、本発明のさらなる別の実施形態を示している。包装容器3は、その上部の封止34が前側に向かわないで折り曲げられる形のようなブロックのものである。長手方向の封止32aが、容器3の上側、下側、および後側に配置されている。容器3は、その前側30に異なる開放デバイスを備えている。前側30に配置されているタブ301は、円形の弱体化領域309において、前側の内面に配置されている開放帯片部分302に連結されている。開放帯片部分は、上方の縁38aと実質的に平行に、包装容器の一方の端38あたりから他方の端38あたりへと延びている。小さい距離Dが、開放帯片部分とそれぞれの縁38との間にある。
【００４３】
前側30の外面には、2つの支援部分305および306が配置されている。支援部分は、弱体化領域309を備え、前記領域と、領域306とされる内面における開放帯片部分全体とを包囲している。支援部分305は、上方の縁38aと開放帯片部分との間で平行に延びる細長くされた帯片を備えている。第2の支援部分306は、中心に配置されており、厚さ(長手方向への寸法のことを言う)の大きくされた第1の部分と、支援部分305と大体同じ厚さの隣接する2つの小さい部分とを備えている。橋梁部は、両方の支援部分304および305を連結している。厚さ中心領域とより薄い隣接する領域との間の移行は、S字形とされるが、他の形が同様に用いられてもよい。中心の厚さ領域は、包装容器が開放された後の注ぐ機能性を向上させる。したがって、中心の厚さ領域は、注ぐのを支援するものとして作用できる。下方支援部分304は、中心に配置された小さい凹所310を備えており、凹所310は屈曲位置として作用する。凹所は、前記凹所から2つの長手方向の縁38へと、湾曲された形の手法で延びる2つの折り目線25と並べられている。圧力を与えて包装を開放するとき、前側30は、上部横断封止の折り曲げのため上部が屈曲するように、前方へと屈曲し、それによって大きな開放を作り出す。
【００４４】
図5の実施形態では、内面における領域306での開放帯片部分は、包装容器の幅の約90%で延びている。開放帯片部分は、上方の縁38aから若干離間されており、長手方向の縁38の周りで容器の側壁において、開放帯片部分を延ばすことが可能である。その結果、弱体化領域は、長手方向の縁の近くで包装の側壁において、開放帯片部分が縁の周りで主パネルに沿って他方の側壁へと延びる状態で、配置されている。
【００４５】
図5Aは、図5の軸X-Xを貫く断面を示している。上方の縁38aから始まって、薄い帯片としての支援部分306が、第1の壁30の外面に配置されている。開放帯片部分302は、支援部分305から長手方向の距離dにおいて、内面に配置されている。前記距離dは、前側の材料積層構造の厚さMより小さくてもよい。例えば、距離dは、材料の厚さMの0.1〜0.5倍の大きさであってもよい。外面における支援部分304、305と内面における開放帯片部分との間の小さな長手方向の距離によって、所定の裂け目線を容易にするため、開放する過程を改善できる。支援部分の高さhは、開放帯片線302の高さより高くなっている。
【００４６】
図6は、本発明のさらなる別の例を示している。この実施形態では、上部分43が上に屈曲するために、上部横断封止44が横断封止42aのために離して折り曲げられる。この実施形態の開放デバイスは、弱体化領域409における橋梁部を介して、材料積層を貫いて開放帯片部分へと連結されるタブ部分401を備えている。開放帯片部分は、包装の約80%で上方の縁402と平行に延びる。開放帯片部分は、包装を開放するとき、作り出された開放が上方の縁402に直接的に隣接するように、上方の縁の非常に近くに配置される。包装の下部に向かう開放帯片部分の下方で、開放デバイスは、中心に配置された出っ張りと、隣接して配置されたより小さい端とを有する支援部分404を備えている。支援部分404の出っ張りは、折り目線45に沿っての向上された屈曲のための弱体化として作用する小さい凹所を中心に備えている。折り目線45は、支援部分404によって覆われる領域における開放帯片部分に隣接する中心位置から、包装容器の下方の角へと、s字形の様式で延びている。包装を開放し、包装容器の側壁に圧力を与えるとき、前側が前方に出っ張り、向上された注ぎに向けてベルマウス形の開放を作り出す。このようなベルマウス形または漏斗形の開放は、開放に近い領域から包装の縁または角へと延びる様々な折り目線によって実現され得る。
【００４７】
代替の実施形態を図7に示している。包装は、横断封止54と、折り畳まれたフラップ52と、包装の後側59における縦封止52aと、包装の前側における開放デバイスと備えている。前側の開放デバイスは、上方の縁からいくらかより小さい距離において、包装の各々の縦縁58から距離Dで、中心に配置される前側の内面において、開放帯片部分502を備えている。いくらかより小さい距離は、包装を開放するとき、液体の高さが、開放帯片502によって定められる所定の裂け目線の下になるように選択される。横断寸法(横断方向Tに沿う寸法)は、包装の幅の約50%である。
【００４８】
開放デバイスは、包装壁に平らに配置されていると共に、弱体化領域509を貫く材料橋梁部を介して開放帯片部分に連結されたタブ部分を、さらに備えている。開放帯片部分502および所定の裂け目線は、支援部分500および500aによって、すべての側から包囲されている。より具体的には、支援部分は、弱体化領域509と開放帯片部分とを取り囲んでいる。支援部分の下方部品503は、包装を開放した後の注ぐことの支援部としても作用する。前側は、包装の下部から距離Ldだけ上向きにずらされている、中心に配置された位置56に向かって、支援部分の外側縁から延びる2つの折り目線55を、さらに備えている。中心に配置された折り目線が、支援部分の中心から、縁と実質的に平行に中心位置56に向かって延びている。
【００４９】
前記包装容器を開放し、圧力を側壁に与えるとき、折り目線55によって包囲される前側の三角部分と、支援部分とが、前方へと屈曲し、漏斗形の出口を形成する。支援部分は、漏れることなく適切な注ぎを容易にする。
【００５０】
本明細書において様々な実施形態で示したすべての特徴は、本発明の概念から逸脱することなく、異なる方法で組み合わされてもよい。前側または上部分における開口の形および寸法に依存して、開放デバイスにおいて、異なる折り目線または支援部分を用いてもよい。支援部分の形、開放するタブ、および/または折り目線は、変化でき、美的な面を含んでもよく、純粋に技術的な機能を含まなくてもよい。
【符号の説明】
【００５１】
1、2、3  包装容器
10  下部横断封止
11  上部横断封止
12  上部分
13、16  支援部分
14  タブ部分
17  領域
17a  開放帯片部分
18  フロントページ、第1の側
20、30、40、50  フロントページ、第1の側
22  フラップ
22a、32a、42a  縦封止
22、32、42  フラップ
23、33  上部分
24、34、44  上部横断封止
26  中心位置
27、27a  角
38a  上方縁
200  開放デバイス
201  タブ
203  支援帯片
304、305  支援部分
【図１】
2017507852.tif 000003
【図２】
2017507852.tif 000004
【図３】
2017507852.tif 000005
【図４】
2017507852.tif 000006
【図５】
2017507852.tif 000007
【図５Ａ】
2017507852.tif 000008
【図６】
2017507852.tif 000009
【図７】
2017507852.tif 000010
【国際調査報告】
2017507852.tif 000011
2017507852.tif 000012
2017507852.tif 000013